(57)【特許請求の範囲】
【請求項１】
組立式ラックにおいて、少なくとも４つの支柱装置、少なくとも二つの棚、及び複数の挟持片を包含し、
該支柱装置は左右２本の並列する支柱と、左右の該支柱の間に設置された複数の連接部材を包含し、該連接部材はそれぞれ左右の該支柱と固定接続され、且つ該連接部材の幅が左右の該支柱の間の間距を限定し、
該挟持片は鉛直状に延伸された嵌め溝を備えた、該嵌め溝の開口の左右両端に両側に向けてそれぞれ翼片が連設され、該嵌め溝に該支柱装置の支柱を嵌め込むことで、該挟持片が開口が棚に向けた形態で該支柱装置に取付けられ、ならびに該支柱装置の連接部材により支持され、該翼片の幅は上から下に漸増し、これにより該翼片の側面が下端が漸次突出する斜面とされ、該翼片の外端面が下端が漸次外側に向けて突出する斜面とされ、
該棚の両側辺の前後端にそれぞれ開口が外向きのＣ形クランプが設置され、該Ｃ形クランプの両端の係止片の間の間距がすなわち、該Ｃ形クランプの開口とされ、該Ｃ形クランプの内部空間の幅が、上から下に漸増し、これにより該Ｃ形クランプの内部空間の二側内壁面が斜面とされ、該Ｃ形クランプの内部空間の二側内壁面の傾斜度が該挟持片の二つの翼片の左右側面の傾斜度と同じとされ、該係止片の内側壁面は斜面とされ、該内側壁面の傾斜度と該翼片の外端面の傾斜度は同じとされ、該棚の両側の前後端のＣ形クランプは、それぞれ前後左右の各該支柱装置の該挟持片の両側の翼片外部に嵌合され、それぞれ対応する該挟持片を緊密に結束し、該Ｃ形クランプと該二つの翼片の間の対応する斜面の突き合わせにより該二つの翼片が緊密に結束され、ならびに二つの該翼片が棚の方向に押圧され、これにより該挟持片の嵌め溝の孔径が縮小して緊密に該支柱を挟持することを特徴とする、組立式ラック。
【請求項２】
請求項１記載の組立式ラックにおいて、該挟持片はプラスチック材料で形成されたことを特徴とする、組立式ラック。
【請求項３】
請求項１記載の組立式ラックにおいて、該支柱装置の支柱は両端が円弧状で中央が平面の変形円形管であることを特徴とする、組立式ラック。
【請求項４】
請求項１記載の組立式ラックにおいて、該支柱装置の支柱は楕円形管であることを特徴とする、組立式ラック。
【請求項５】
請求項１記載の組立式ラックにおいて、該支柱装置の各連接部材は二つずつが一組を構成し、各組が均一に分布して左右の二つの支柱を連接し、各二つの連接部材の間距は該挟持片の高さより大きくならびに接近し、且つ該二つの連接部材の間に該挟持片を設置できることを特徴とする、組立式ラック。
【発明の詳細な説明】
【技術分野】
【０００１】
本発明は組立式ラックに係り、棚部材に設けられたＣ形クランプにより支柱装置に設置された挟持片を挟持し、棚部材と支柱装置を組み立てて構造強度が良好なラックとしたものに関する。
【背景技術】
【０００２】
住居の室内或いはオフィス内或いは仕事の場所には、いずれも各種の異なる形式の収納装置が設置されて、物品の収容或いは放置に供される。収納装置は概ね、分解が容易でない固定形式と、分解と組立が容易な組立式とに分けられる。分解組立が容易な収納装置は、ストック、運送が容易である長所を有し、且つ運送コストを下げて市場での競争力をアップできる。
【０００３】
分解組立可能な収納装置はまた、工具を使用しなければ分解組立が行えないものと、工具不要で分解組立が行えるものに分けられる。同型の商品中、組立に工具の使用が不要な製品がますます消費者に使用されるようになっている。特許文献１乃至特許文献８などに記載のラックは、いずれもバンブー式管材を支柱としている。該支柱には複数の環状溝が設けられて、錐状の挟持片が嵌め込まれて位置決めされ、さらに棚部材の角部に設けられた錐状スリーブが挟持片外に嵌合され、挟持片を緊密に結束し、これにより棚部材が取付けられる。該支柱の両側に架設される棚部材は、非等高でなければならず、このために全体のラックが整然とせず、無秩序な印象となる。
【０００４】
市販の、２線サイドフレームを備えた組立式ラックは、左右二つの２線サイドフレームの間に、棚が架設されて、ラックを構成している。該２線サイドフレームは、前後のそれぞれ２本の左右に並列された鉛直状支柱と、少なくとも２ホンの、上下に設置された水平状鉄線を包含する。該水平状鉄線の前後両端は、それぞれ前後位置の支柱と溶接されて一体とされている。該２線サイドフレームの両側に設置される棚は、等高部分に架設可能である。該ラックの四つの角部それぞれに係止部材が固定され、該係止部材は鉛直状に延伸されたＵ形板とされ、該係止部材の内部に嵌め溝が形成されている。該棚の前端の係止部材は、その嵌め溝の開口が前向き状態とされ、該棚の後端に位置する係止部材は、その嵌め溝の開口が後ろ向き状態とされる。該棚の四つの角部の係止部材は、対応する２線サイドフレームの支柱を嵌め込め、且つ棚の同側の前後の係止部材が、前後の支り、該棚が二つの２線サイドフレームに固定される。このようなラックの構造強度は低く、左右のぐらつきを発生しやすく、ゆえに２線サイドフレームの後端に交叉状の牽引線を架設することで該ラックの構造力を増す必要がある。該２線サイドフレームの前端には交叉状の牽引線を架設できないため、前後の強度平衡の効果を達成できず、このため全体のラックの構造強度が良好でなく、外力を受ける時に、なおも左右のぐらつきを発生する。
【先行技術文献】
【特許文献】
【０００５】
【特許文献１】米国特許第５，６７６，２６３号明細書
【特許文献２】米国特許第５，３０３，６４５号明細書
【特許文献３】米国特許第５，１７４，６７６号明細書
【特許文献４】米国特許第４，９９１，７２５号明細書
【特許文献５】米国特許第４，７９９，８１８号明細書
【特許文献６】米国特許第４，５９５，１０７号明細書
【特許文献７】米国特許第４，５４６，８８７号明細書
【特許文献８】米国特許第４，７６３，７９９号明細書
【発明の概要】
【発明が解決しようとする課題】
【０００６】
本発明の主要な目的は、一種の組立式ラックを提供することにあり、それは、ラックと支柱装置上の支柱の間の結合の緊度を増し、全体のラックの構造強度を増したものとする。
【０００７】
本発明の次の目的は、一種の組立式ラックを提供することにあり、それは、横向きにラックの幅を延伸でき、支柱装置の左右両側の棚を同じ高さに設置でき、これによりラックの外観が協調性と美観を有するものとする。
【課題を解決するための手段】
【０００８】
本発明の提供する組立式ラックは、少なくとも四つの支柱装置、少なくとも二つの棚、及び複数の挟持片を包含する。該支柱装置は左右２本の並列する鉛直状支柱、及び複数の、左右の二つの支柱を接続する連接部材を包含する。該挟持片は、鉛直状に延伸された嵌め溝を備えた、該嵌め溝の開口両端にそれぞれ翼片が設置され、該嵌め溝は該支柱装置の支柱を嵌め込み可能であり、これにより該挟持片が該支柱装置に取付けられる。該棚の両側辺の前後端それぞれに、開口が外向きのＣ形クランプが設置され、該Ｃ形クランプは該挟持片の二つの翼片を結束可能で、ならびに該二つの翼片を押圧し、該二つの翼片の間に位置する嵌め溝の孔径を縮小させ、該支柱を緊密に挟持させる。すなわち、棚がその両側の前後左右の４本の支柱装置に固定される。
【０００９】
本発明の提供する組立式ラックは、そのうち該翼片の幅が上から下に漸増し、これにより該翼片の側面が傾斜状とされる。該翼片の外端面は下端が漸次突出する斜面である。該棚のＣ形クランプの両端に係止片が設置され、該二つの係止片の間の間隔は、該Ｃ形クランプの開口とされる。該Ｃ形クランプ内部空間の幅は上から下に漸増し、これにより、該Ｃ形クランプ内部空間の二側内壁面が斜面とされる。該Ｃ形クランプの係止片の内側壁面は該翼片外端面の斜面の斜度と同じである。該Ｃ形クランプ上の斜面と該翼片の斜面が当接させられることで、該翼片に対して緊密結束と押圧の作用が発生し、これにより、該挟持片が該鉛直状支柱を緊密に挟持する。
【００１０】
本発明の提供する組立式ラックは、そのうち、該支柱装置の支柱が両端が円弧状で、中央が平面の扁平円形管とされ得る。
【００１１】
本発明の提供する組立式ラックは、そのうち、該支柱装置の支柱が楕円形管或いは円形管とされ得る。
【００１２】
本発明の提供する組立式ラックは、そのうち、該支柱装置の各連接部材が二つずつで一組を構成し、各組は均一に分布して、左右二つの支柱を連接する。各組の二つの連接部材の間距は該挟持片の高さよりやや大きく、且つ該二つの連接部材の間に該挟持片を設置できる。
【発明の効果】
【００１３】
本発明は、一種の組立式ラックを提供し、それは、ラックと支柱装置上の支柱の間の結合の緊度を増し、全体のラックの構造強度を増したものである。
【００１４】
本発明は、一種の組立式ラックを提供し、それは、横向きにラックの幅を延伸でき、支柱装置の左右両側の棚を同じ高さに設置でき、これによりラックの外観が協調性と美観を有するものである。
【図面の簡単な説明】
【００１５】
【図１】本発明の実施例の外観図である。
【図２】本発明の支柱装置の分解図である。
【図３】本発明の挟持片の外観図である。
【図４】本発明の挟持片の正面図である。
【図５】本発明の挟持片の側面図である。
【図６】本発明の棚の局部外観図であり、Ｃ形クランプの外観図を示す。
【図７】本発明の棚の局部側面図である。
【図８】図７の８−８断面図である。
【図９】本発明の棚と支柱装置の分解図である。
【図１０】本発明の棚を支柱装置に組み合わせた平面図である。
【図１１】図１０の１１−１１断面図である。
【図１２】図１のラックに側方向に棚と支柱装置を接続して、横方向に延伸して比較的大きな幅を有するようにしたラックの表示図である。
【発明を実施するための形態】
【００１６】
図１を参照されたい。本発明に記載する組立式ラックは、少なくとも上下の二つの棚１０、２０が、その四つの角部で前後左右の４本の支柱装置３０と結合されてなる。該組立式ラックは、少なくとも４本の支柱装置３０、少なくとも二つの棚１０、２０、及び複数の挟持片４０を包含する。本実施例は、四つの支柱装置３０、四つの棚１０、２０を包含する。そのうち、棚２０は鉄線で構成された棚である。棚１０は平板状の棚である。
【００１７】
図２を参照されたい。該支柱装置３０は、左右２本の並列する鉛直状支柱３１と、複数の、上から下に設置された連接部材３２を包含する。該連接部材３２は左右の２本の支柱３１の間に設置され、左右の２本の支柱３１を連結して一体となす。該連接部材３２はそれぞれ左右の該支柱３１と固定され、且つ該連接部材３２の幅は、左右の該支柱３１の間の間距を限定する。該支柱装置３０の支柱３１は、２端が円弧状で中央が平面の扁平円形管とされ得る。接続部材３３で、上下の二つの長さが比較的短い支柱装置３０が一体に連接され得る。該接続部材３３はＨ形とされ、それはスペーサ３３１、及び該スペーサ３３１の上端面と底端面に設置された四つの挿入ピン３３２を包含し、該挿入ピン３３２はそれぞれ上方と下方の支柱装置３０の四つの支柱３１内に対応し、挿入され、これにより上方と下方の支柱装置３０が連接されて一体とされる。該支柱装置の上端と底端は、異なるキャップ３４、３５で封じられる。該プラグ３５にさらにフットボルト３６がねじ込まれる。
【００１８】
図３、図４、図５を参照されたい。前述の挟持片４０はプラスチック材料で製造されるのがよく、それは鉛直状に延伸された嵌め溝４１を備え、且つ該嵌め溝４１の開口の左右両端に、両側に向けてそれぞれ翼片４２が連設されている。該嵌め溝４１には該支柱装置３０の支柱３１を嵌め込め、該挟持片４０が該支柱装置３０に取付けられる（図９と図１０）。その間、該挟持片４０の嵌め溝４１の開口は棚２０に向けられる。該翼片４２の幅は上から下に漸増し、これにより該翼片４２の側面４２１が下端が漸次突出する斜面状とされる。該翼片４２の外端面４２２は下端が漸次外側に突出する斜面とされる。
【００１９】
図１、図６、図７、図８を参照されたい。前述の棚１０の両側辺の前後端にそれぞれ開口が外向きのＣ形クランプ５０が設置される。該Ｃ形クランプ５０の両端に係止片５１が形成され、該係止片５１の間の間距がすなわち、該Ｃ形クランプ５０の開口とされる。該Ｃ形クランプ５０の内部空間の二側の内壁面５２は斜面とされ、これにより、該Ｃ形クランプ５０の内部空間の幅が、上から下に漸増する。該Ｃ形クランプ５０の内部空間の二側内壁面５２の傾斜度と該挟持片４０の二つの翼片４２の左右側面４２１の傾斜度は同じである。該係止片５１の内側壁面５１１は斜面とされ、該内側壁面５１１の傾斜度と該翼片４２の外端面４２２の傾斜度は同じである。図１中の棚２０上に、同じ構造のＣ形クランプ５０が設置されている。
【００２０】
図９、図１０、図１１を参照されたい。前述の、支柱装置３０上に取付けられる挟持片４０は、二つの翼片４２がそれぞれ該棚１０上の対応するＣ形クランプ５０内に導入される。該Ｃ形クランプ５０の下端の孔径は、該二つの翼片４２の上端の幅と厚さより大きく、容易に該二つの翼片４２の外部に嵌合される。Ｃ形クランプ５０内部の二側内壁面５２と該二つの翼片４２の側面４２１の間が斜面で突き合わされることで、該翼片４２に対して緊密結束作用を発生する。Ｃ形クランプ５０の係止片５１の内側壁面５１１と該翼片４２の外端面４２２の間が斜面で突き合わされることで、二つの翼片４２に対して棚１０に向けて押圧する作用が発生する。すなわち、該二つの翼片４２が相互に接近し、該挟持片４０の嵌め溝４１の孔径が縮小されて、該支柱３１を緊密に挟持する。
【００２１】
同時に、該Ｃ形クランプ５０が挟持片４０に対して緊密結束作用を発生し、該Ｃ形クランプ５０と該挟持片４０を固定接合させる。
【００２２】
該棚１０が該四つの支柱装置３０に取付けられる時は、まず、各挟持片４０が支柱３１に取付けられてから、棚１０の四つの角部の各Ｃ形クランプ５０が対応する挟持片４０の二つの翼片４２外部に嵌合され、ならびに棚１０が下向きに押圧されて緊密に固定される。該棚１０の両側の前後端のＣ形クランプ５０は、それぞれ前後左右の支柱装置３０上の挟持片４０の翼片４２と嵌合され、こうして、棚１０が前後左右の４本の支柱装置３０の間に組み合わされる。
【００２３】
該挟持片４０の嵌め溝４１の内径は該支柱３１の外径に等しく、且つ該挟持片４０は僅かに弾性を有し、強制的に支柱３１に組み合わされ、ならびに支柱３１を挟持する作用を発生し、これにより、挟持片４０が該支柱３１に取付けられて、自動脱落しない。本実施例では、該挟持片４０は扁平円形管の支柱３１に取付けられ、回転不能とされ、棚１０の組合せに便利である。
【００２４】
該支柱装置３０の各連接部材３２は各二つが一組を構成し、各組は均一に分布して、左右二つの支柱３１を連接する。各組の二つの連接部材３２の間距は該挟持片４０の高さより大きくならびに接近し、且つ該二つの連接部材３２の間に該挟持片４０を設置できる。該棚１０と該挟持片４０を分離させたい時は、該挟持片４０が上方の連接部材３２の阻止を受けるため、棚１０に伴い上向きに移動せず、挟持片４０とＣ形クランプ５０の分離に有利である。
【００２５】
図１に示されるラックは、同側にあって、前後それぞれ１本の支柱装置３０、及び二つ以上の棚１０、２０を増加でき、すなわち、ラックの体積を横方向に延伸してさらに大きな体積とでき、図１２のようである。その間、支柱装置３０の左右二つの支柱３１はそれぞれ異なる棚１０（或いは２０）が架設可能で、且つ該二つの棚１０（或いは２０）は同じ高さ部分に架設でき、全体のラックが協調性と美観を有する高級感のある設計とされる。
【００２６】
本発明の提供する組立式ラックは、棚１０、２０に設置されたＣ形クランプ５０が、支柱装置３０に取付けられた挟持片４０に対し、緊束力を発生して、挟持片４０に支柱装置３０の支柱３１を緊密に挟持させることで、棚１０が緊密に各支柱装置３０に固定される。これにより、組立が完成したラックはさらに大きな側方向外力に耐えることができ、左右にぐらつかず、ラックの構造強度を高める目的を達成する。
【符号の説明】
【００２７】
１０  棚
２０  棚
３０  支柱装置
３１  支柱
３２  連接部材
３３  接続部材
３３１  スペーサ
３３２  挿入ピン
３４  キャップ
３５  キャップ
３６  フットボルト
４０  挟持片
４１  嵌め溝
４２  翼片
４２１  側面
４２２  外端面
５０  Ｃ形クランプ
５１  係止片
５１１  内側壁面
５２  二側内壁面
【図１】
0005253558.tif 000002
【図２】
0005253558.tif 000003
【図３】
0005253558.tif 000004
【図４】
0005253558.tif 000005
【図５】
0005253558.tif 000006
【図６】
0005253558.tif 000007
【図７】
0005253558.tif 000008
【図８】
0005253558.tif 000009
【図９】
0005253558.tif 000010
【図１０】
0005253558.tif 000011
【図１１】
0005253558.tif 000012
【図１２】
0005253558.tif 000013